(57)【特許請求の範囲】
【請求項１】
互いに接触する第１のコンタクト及び第２のコンタクトがそれぞれに配列され、第１の基板及び第２の基板にそれぞれ実装される第１のコネクタ及び第２のコネクタを備え、該第１及び第２のコネクタを互いに嵌合させることにより前記第１及び第２の基板を互いに接続する基板用電気コネクタにおいて、
前記第１のコネクタが、略長尺四角枠状に突出する環状凸部と、この環状凸部に囲われて形成される嵌合凹部とを有し、前記嵌合凹部の長手方向の内側面に前記第１のコンタクトが列状で配列される第１のハウジングを備え、
前記第２のコネクタが、前記環状凸部が挿入される略長尺四角枠形状に窪んだ環状凹部と、この環状凹部に囲まれて形成される嵌合凸部とを有し、前記嵌合凸部の長手方向の外側面に前記第2のコンタクトが列状で配列される第2のハウジングを備え、
前記第1のハウジングの前記環状凸部の四隅のうち、少なくとも二つの隅に、前記第2のハウジングの前記環状凹部に入るリブを突設させると共に、前記リブの横に、前記嵌合凸部に当たるガイド部が設けられ、
前記第2のハウジングの環状凹部の四隅のうち、少なくとも二つの隅に、前記リブが嵌まる逃がし穴が設けられてなり、
前記リブは、前記第１のハウジングの環状凸部の四隅のうち、一方の長手方向側壁の両端に位置する２隅に突設され、
前記逃がし穴は、前記第2のハウジングの環状凹部の四隅のうち、一方の長手方向側壁の両端に位置する２隅に設けられ、
前記第２のハウジングの短手方向側壁上であって、前記逃がし穴が設けられた二つの隅に対向する二つの隅には、前記第１及び第２コネクタの逆嵌合時に前記リブが当たる受け面が形成されていることを特徴とする基板用電気コネクタ。
【請求項２】
前記リブの先端がテーパ状に形成されている請求項１に記載の基板用電気コネクタ。
【請求項３】
前記第1のハウジングの長手方向の両端に、前記第2のハウジングの長手方向両端が当たるベース部が形成されている請求項1または２に記載の基板用電気コネクタ。
【発明の詳細な説明】
【技術分野】
【０００１】
本発明は、それぞれが互いに異なる基板に実装され、これら基板を互いに接続する２つのコネクタ、いわゆるボード・トゥ・ボードコネクタを備えた電気コネクタに関する。
【背景技術】
【０００２】
従来から、板状のプリント配線基板（以下、ＰＣＢともいう）同士を互いに接続（いわゆるボード・トゥ・ボード接続）する電気コネクタが広く使われている。この電気コネクタは、互いに異なる基板に実装され、互いに嵌合するリセプタクルコネクタとプラグコネクタを備えており、これらリセプタクルコネクタとプラグコネクタを嵌合させることによりＰＣＢ同士が接続される。リセプタクルコネクタとプラグコネクタはそれぞれ、複数のコンタクトと、これらコンタクトが所定のピッチに配列されたハウジングを備えている。通常、リセプタクルコネクタのハウジングに配列されたコンタクトはばね性をもっており、リセプタクルコネクタとプラグコネクタが嵌合されると、それぞれのハウジングに配列されたコンタクト同士はこのばね性により所定の圧力で接触して電気的に接続される。
【０００３】
このボード・トゥ・ボードコネクタの中には、たとえば、連結凸部を有するプラグコネクタと、連結凹部を有するリセプタクルコネクタとからなり、プラグコネクタの連結凸部をリセプタクルコネクタの連結凹部に嵌合させることにより、それぞれのコネクタのコンタクト（接点）同士が接続され、ボード・トゥ・ボード接続が達成されるようになっているものがある。
【０００４】
近年、各種電気機器（パーソナルコンピュータ、液晶表示装置などの電子機器）の小型化が進むにつれて、上記のようなボード・トゥ・ボードコネクタの小型化および薄型化が望まれている。しかしながら、上記のようなタイプのボード・トゥ・ボードコネクタを薄型化するためには、連結凸部の高さを低くして、連結凹部の深さを浅くしなければならない。１対の配線基板の表面にそれぞれ取り付けられたコネクタ（プラグコネクタおよびリセプタクルコネクタ）をボード・トゥ・ボード接続する場合には、これらの１対のコネクタを互いに擦り合わせるようにして位置合わせを行わなければならないので、連結凸部の高さを低くして、連結凹部の深さを浅くした場合には、連結凹部と連結凸部との当たり部分が小さくなり、位置合わせしにくくなる。
【０００５】
そこで、特許文献１には、一方向に長尺の形状を有するコネクタ同士を位置合わせする場合、特に長手方向の位置合わせが容易にできるように、各コネクタの短手方向の幅がある程度合うようにして長手方向に相対的に変位させることにより、プラグコネクタ５の端部の突出片をリセプタクルコネクタ３の突出部の内側面（規制面）に衝突させるようにするものが提案されている。
【特許文献１】特開２００４−２７３２７７号公報
【発明の開示】
【発明が解決しようとする課題】
【０００６】
一方向に長尺の形状を有するコネクタ同士を位置合わせする場合、短手方向の位置合わせを行うときには、長手方向に沿った比較的長い当たり部分に対して位置合わせを行うことができ、位置合わせが比較的容易である。しかしながら、長手方向の位置合わせを行うときに、長手方向に相対的に変位させるため、短手方向に沿った位置合わせが変わることもある。
【０００７】
この発明は、かかる背景のもとでなされたもので、位置合わせが確実にできる電気コネクタを提供することを目的とする。
【課題を解決するための手段】
【０００８】
上記課題を解決するために、第１の発明は、互いに接触する第１のコンタクト及び第２のコンタクトがそれぞれに配列され、第１の基板及び第２の基板にそれぞれ実装される第１のコネクタ及び第２のコネクタを備え、該第１及び第２のコネクタを互いに嵌合させることにより前記第１及び第２の基板を互いに接続する基板用電気コネクタにおいて、前記第１のコネクタが、略長尺四角枠状に突出する環状凸部と、この環状凸部に囲われて形成される嵌合凹部とを有し、前記嵌合凹部の長手方向の内側面に前記第１のコンタクトが列状で配列される第１のハウジングを備え、前記第２のコネクタが、前記環状凸部が挿入される略長尺四角枠形状に窪んだ環状凹部と、この環状凹部に囲まれて形成される嵌合凸部とを有し、前記嵌合凸部の長手方向の外側面に前記第2のコンタクトが列状で配列される第2のハウジングを備え、前記第1のハウジングの前記環状凸部の四隅のうち、少なくとも二つの隅に、前記第2のハウジングの前記環状凹部に入るリブを突設させると共に、前記リブの横に、前記嵌合凸部に当たるガイド部が設けられ、前記第2のハウジングの環状凹部の四隅のうち、少なくとも二つの隅に、前記リブが嵌まる逃がし穴が設けられてなり、
前記リブは、前記第１のハウジングの環状凸部の四隅のうち、一方の長手方向側壁の両端に位置する２隅に突設され、
前記逃がし穴は、前記第2のハウジングの環状凹部の四隅のうち、一方の長手方向側壁の両端に位置する２隅に設けられ、
前記第２のハウジングの短手方向側壁上であって、前記逃がし穴が設けられた二つの隅に対向する二つの隅には、前記リブが当たる受け面が形成されていることを特徴とする。
上記構成によると、第１のハウジングのリブを第２のハウジングの環状凹部に入れ、第１のハウジングのガイド部を第２のハウジングの嵌合凸部に嵌めると、両ハウジングの短手方向の位置決めができる。この状態で、第１のハウジングを第２のハウジングに向かって斜めに押し当てるようにして長手方向に移動させる。すると、第１のハウジングの環状凸部が第２のハウジングの環状凹部に嵌まる位置で止まって、第２のハウジングの逃がし穴に嵌まって、第１のハウジングと第２のハウジングとの長手方向の位置決めがなされる。
また、上記構成によると、第１のハウジングと第２のハウジングとが逆嵌合である場合、第１のハウジングのリブが第２のハウジングの受け面に当たり、第１のハウジングが第２のハウジングに対して斜めに傾き、逆嵌合であることが直ぐに判る。
【０００９】
第２の発明は、第１の発明において、前記リブの先端がテーパ状に形成されている。
上記構成によると、第１のハウジングのリブを、第２のハウジングの環状凹部に入れ易くなるとともに、第２のハウジングの逃がし穴への嵌合もし易くなる。
【００１０】
第２の発明は、第１または第２の発明において、前記第1のハウジングの長手方向の両端に、前記第2のハウジングの長手方向両端が当たるベース部が形成されている。
上記構成によると、第１のハウジングと第２のハウジングの嵌合時の状態が安定したものとなる。
【発明の効果】
【００１１】
以上説明したように、本発明によると、一方向に長尺の形状を有するコネクタ同士を位置合わせする場合、短手方向の位置合わせが容易にできるとともに、長手方向に相対的に変位させても、短手方向に沿った位置合わせが変わらず、長手方向の位置合わせも容易にできる。
また、第１のハウジングのリブが第２のハウジングの受け面に当たり、第１のハウジングが第２のハウジングに対して斜めに傾き、逆嵌合であることが直ぐに判る。
【発明を実施するための最良の形態】
【００１２】
以下、図面を参照して本発明の電気コネクタの実施形態を説明する。
図１から図５までを参照して本発明の電気コネクタの第１実施形態を説明する。
【００１３】
図１及び図２は電気コネクタのうちのリセプタクルコネクタ２０（本発明にいう第１のコネクタの一例）を示し、図３乃至図６は電気コネクタのうちのプラグコネクタ６０（本発明にいう第２のコネクタの一例）を示し、図７はこれらリセプタクルコネクタ２０とプラグコネクタ６０が嵌合した状態の電気コネクタ１０の断面を示す。
【００１４】
このボード・トゥ・ボードコネクタである電気コネクタ１０は、図７に示すように、連結凹部としての嵌合凹部３２を有するリセプタクルコネクタ２０と、嵌合凹部３２に対応する形状の連結凸部としての嵌合凸部７２を有するプラグコネクタ６０とを備えている。各コネクタ２０，６０は、たとえば平面視で長方形形状を有していて、それぞれ配線基板１２，１４の実装面上に半田付けによって実装されて用いられる。嵌合凹部３２を有するリセプタクルコネクタ２０と嵌合凸部７２を有するプラグコネクタ６０を嵌合すると、基板１２，１４は互いに直交する状態に接続される。
【００１５】
図１において、リセプタクルコネクタ２０は、ハウジング３０とコンタクト５０（本発明にいう第１のコンタクトの一例）とを備える。ハウジング３０は、略長尺四角枠状に突出する環状凸部３１と、この環状凸部３１に囲われて形成される嵌合凹部３２と、環状凸部３１の長手方向の両端に一体に設けられたベース３３とを備える。このベース３３には、基板１２の固定用パットに半田付けされる固定用金具３６が備えられている。
【００１６】
ハウジング３０の環状凸部３１は、当該リセプタクルコネクタ２０の長手方向に沿って長尺四角枠形状に延びており、長手方向側壁３７と、短手方向側壁３８とを備えて成る。
【００１７】
この環状凸部３１の四隅のうち、一方の長手方向側壁３７の両端に位置する２隅（両側の短手方向側壁３８の４つの端うち、一方の長手方向側壁３７に接する２つの端）に、リブ４０が突設されている。このリブ４０は、後述する逃がし穴８０に嵌入し易いように、裁頭４角錘形状の先細りテーパ状に形成されている。また、リブ４０の強度のある大きさを確保する為に、短手方向側壁３８の約半分が長手方向に厚みを増やして形成されている。
【００１８】
また、短手方向側壁３８のうち、前記リブ４０に隣接する位置に、ガイド部としてのガイド溝４５が設けられている。このガイド溝４５は、嵌合凹部３２の短手方向の幅と略同じ幅ｗ１を有している。すなわち、ガイド溝４５の幅ｗ１は、後述するプラグコネクタ６０の嵌合凸部７２の先端が嵌まった状態でガイドすることができる幅となっている。また、ガイド溝４５の深さｈ１は、後述するプラグコネクタ６０の嵌合凸部７２の先端が外れない程度の深さであって、隣接するリブ４０が後述するプラグコネクタ６０の環状凹部７１に入ったときに、環状凹部７１の底まで届かないような深さとなっている。なお、ガイド部としてガイド溝４５とすることが好ましいが、ｈ＝０となったガイド面であってもよい。このガイド面の場合、環状凹部７１にリブ４０が入り、ガイド面が嵌合凸部７２の先端に当たることで、リブ４０の入る程度が制限され、嵌合凹部１に入ったリブ４０で短手方向がガイドされる。
【００１９】
前述した環状凸部３１の内側部分を構成する嵌合凹部３２の長手方向に沿った内側面、即ち長手方向側壁３７の内側面には、それぞれ、プラグコネクタ６０との電気的な接続を達成するための複数（たとえば、２０〜１６０個ずつ）のコンタクト５０が、嵌入状態で配設されている。複数のコンタクト５０は、長手方向に沿って等間隔（たとえば、０．３ｍｍピッチ程度）を空けて配置されている。
【００２０】
各コンタクト５０は、たとえば、金属板の打ち抜き加工によって作製されたものである。図２のように、各コンタクト５０は、長手方向側壁３７のスリット３７１に嵌入されて固定される基部５１と、この基部５１の端部から先端に向けて延在し、嵌合凹部３２に向かって山折り状に屈曲した形状であって、その先端がプラグコネクタ５に対する接点を構成する接点部５２と、基部５１から短手方向外方に突出し、当該コンタクト５０を配線基板１２の実装面上のランドに半田付けするためのリード部５３とを有している。接点部５２は、基部５１に対して片持ち状に弾性変形できるようになっている。この接点部５２の先端５２１は、ハウジング４０の長手方向側壁３７に形成された係止孔３７２の端に係止されている。
【００２１】
この実施形態では、嵌合凹部３２に臨む長手方向側壁３７の両内面側に沿って配置された複数のコンタクト５０は、左右対称に配置されている。各コンタクト５０の基部５１をハウジング３０の長手方向側壁３７の内側に形成されたスリット３７１に対して基板の取付側から圧入すると、基部５１がハウジング３０の側面に沿った状態となり、リード部５３がハウジング３０の底から外方に突出する。当該リセプタクルコネクタ２０を配線基板１２に取り付ける場合には、ハウジング３０の底面から突出したリード部５３と、配線基板１２の実装面上のランドとの当接部に半田付けを行うことにより、当該当接部の周囲が半田フィレットで覆われて、リセプタクルコネクタ２０が配線基板１２に対して固定される。
【００２２】
一方、図３において、プラグコネクタ６０は、ハウジング７０とコンタクト９０（本発明にいう第２のコンタクトの一例）を備える。ハウジング７０は、略長尺四角枠状に陥没する環状凹部７１と、この環状凹部７１に囲われて形成される嵌合凸部７２とを備える。
【００２３】
ハウジング７０の環状凹部７１は、エンド部７３と、このエンド部７３の周囲に長尺四角枠形状に立設される側壁７４と、エンド部７３の中央に立設される中央壁でもある嵌合凸部７２とを備える。側壁７４は、長手方向側壁７５と、短手方向側壁７６とからなる。長手方向側壁７５の一方には、基板１４の固定用パットに半田付けされる固定用金具７９が備えられている。
【００２４】
この環状凹部７１の四隅のうち、一方の長手方向側壁７５の両端に位置する２隅（両側の短手方向側壁７６の４つの端うち、一方の長手方向側壁７５に接する２つの端）に、逃がし穴８０が設けられている。この逃がし穴８０は、前述したリブ４０が嵌入し易いように、裁頭４角錘穴形状の先細りテーパ穴状に形成されている（図５参照）。また、逃がし穴８０が設けられ二つの隅に対向する二つの隅には、短手方向側壁７６の厚みを長手方向内側に増やして、その上に受け面８５が形成されている。この受け面８５は、図６に示すように、短手方向からみて、逃がし穴８０と重なる位置に設けられ、受けとは逆のテーパ（角度α）となった浅い斜面８５１と、当たり面８５２とを備える。この斜面８５１は、逆嵌合時のリブ４０の先端を誘い込むためのものである。当たり面８５２は、逆嵌合時のリブ４０の端が当たって止めるためのものである。
【００２５】
前述した嵌合凸部（中央壁）７２の長手方向の両外側面には、それぞれ、リセプタクルコネクタ２０との電気的な接続を達成するための複数（たとえば、２０〜１２０個ずつ）のコンタクト９０が、環状凹部７１の内方に臨んでいる。複数のコンタクト９０は、嵌合凸部72にリセプタクルコネクタ２０の嵌合凹部３２が嵌合したときに、当該嵌合凹部３２から外方に臨む複数のコンタクト５０と１対１に対向するように、長手方向に沿って等間隔（たとえば、０．３ｍｍピッチ程度）を空けて配置されている。
【００２６】
各コンタクト９０は、たとえば、金属板の打ち抜き加工によって作製されたものである。図４のように、各コンタクト９０は、ハウジング７０のエンド部７３を短手方向に延びる基部９１と、この基部９１から嵌合凸部７２に沿って延在し、その先端がリセプタクルコネクタ２０に対する接点を構成する接点部９２と、基部９１から下方に突出し、当該コンタクト９０を配線基板１４の実装面上のランドに半田付けするためのリード部９３と、基部９１から突出し、当該コンタクト９０をハウジング７０に対して把持するための把持部９４とを有している。二列のコンタクト９０のうち一方は、ハウジング７０のエンド部７３の側から圧入できるように、ハウジング７０に設けられたスリット７０１に圧入される。二列のコンタクト９０のうち他方は、ハウジング７０の中央壁７２の側から圧入できるように、ハウジング７０に設けられたスリット７０２に圧入される。
【００２７】
この実施形態では、嵌合凸部７２の両外側面に沿って配置された複数のコンタクト９０は、ハウジング７０のエンド部７３の側から圧入できるに適したものと、ハウジング７０の嵌合凸部７２の側から圧入できるのに適したものとの二種類があって、この二種類のコンタクト９０が、それぞれ、ハウジング７０の一方の長手方向側壁において基板１４に固定される。当該プラグコネクタ６０を配線基板１４に取り付ける場合には、ハウジング７０の一方の長手方向側壁７５から突出したリード部９３と、配線基板１４の実装面上のランドとの当接部に半田付けを行うことにより、当該当接部の周囲が半田フィレットで覆われて、プラグコネクタ６０が配線基板１４に対して固定される。
【００２８】
図８は、リセプタクルコネクタ２０とプラグコネクタ６０とを嵌合させる手順を示す図である。
【００２９】
このボード・トゥ・ボードコネクタである電気コネクタ１０を接続させる場合、作業者は、たとえば、一方の手にリセプタクルコネクタ２０が取り付けられた配線基板１２を持ち、他方の手にプラグコネクタ６０が取り付けられた配線基板１４を持って、各配線基板１２，１４の実装面を互いに交差させた状態から、リセプタクルコネクタ２０の表面（配線基板１２と反対側の表面）に対してプラグコネクタ６０の表面（配線基板１４と直交する表面）を擦り合わせるようにして位置合わせを行う。
【００３０】
まず、リセプタクルコネクタ２０の環状凸部３１の一方の長手方向側壁３７の両端側に突出するリブ４０によって、リセプタクルコネクタ２０は、長手方向の中心線に対して非対称形状となっている（図１参照）。そのため、視覚的にも、リセプタクルコネクタ２０の方向性の判断がし易くなる。
【００３１】
また、プラグコネクタ６０の環状凹部の一方の長手方向側壁の両端側に設けられた逃がし穴８０と、プラグコネクタ６０の環状凹部の他方の長手方向側壁の両端側に設けられた受け面８５とによって、プラグコネクタ６０は、長手方向の中心線に対して非対称形状となっている（図３参照）。そのため、リブ４０が突出するリセプタクルコネクタ２０ほどではないが、視覚的にも、プラグコネクタ６０の方向性の判断がし易くなる。
【００３２】
このリセプタクルコネクタ２０をプラグコネクタ６０に対して位置合わせする場合には、まず、プラグコネクタ６０の環状凹部の側に、リセプタクルコネクタ２０の環状凸部の側を向かい合わせる。このとき、リセプタクルコネクタ２０とプラグコネクタ６０との長手方向の位置合わせはずれたままでよい。リセプタクルコネクタ２０の一方のリブ４０をプラグコネクタ６０の環状凹部７１を入れる（図８（ａ）参照）。すると、リセプタクルコネクタ２０ガイド溝４５がプラグコネクタ６０の嵌合凸部（中央壁）７２に嵌まり込み、また、リブ４０が環状凹部７１に入ることにより、リセプタクルコネクタ２０の短手方向とプラグコネクタ６０の短手方向がずれないように案内される（図８（ｂ）参照）。この状態で、リセプタクルコネクタ２０を長手方向に向かって斜めに押すと、リセプタクルコネクタ２０のガイド溝４５がプラグコネクタ６０の嵌合凸部（中央壁）７２に沿って、長手方向奥側に向かって移動をする。
【００３３】
リセプタクルコネクタ２０のリブ４０が、プラグコネクタ６０の短手方向側壁の内面に当たると、リセプタクルコネクタ２０のリブ４０がプラグコネクタ６０の逃がし穴８０に嵌まる位置となり、且つ、リセプタクルコネクタ２０の嵌合凹部３２がプラグコネクタ６０の嵌合凸部７２に嵌合する状態となるため、両コネクタが斜めになったまま、リセプタクルコネクタ２０の端とプラグコネクタ６０の端とが部分的に嵌合する状態になる（図８（ｃ）参照）。
【００３４】
両コネクタ６０の端が一部嵌合した状態で、この端を支点となるようにしてリセプタクルコネクタ２０の他端側を押すと、リセプタクルコネクタ２０とプラグコネクタ６０とは完全な嵌合状態になる（図８（ｄ）参照）。
【００３５】
このようにしてリセプタクルコネクタ２０のリブ４０をプラグコネクタ６０の環状凹部７１に入れて、リセプタクルコネクタ２０のガイド溝４５がプラグコネクタ６０の嵌合凸部（中央壁）７２を案内する。すると、リセプタクルコネクタ２０とプラグコネクタ６０とは短手方向に位置決めされる。この短手方向に位置決めされた状態で、リセプタクルコネクタ２０をプラグコネクタ６０の端へと長手方向に滑らせて端まで移動させて押し込むと、殆ど自動的に嵌合を完了させることができる。
【００３６】
そして、嵌合された状態では、リセプタクルコネクタ２０のベース３３の上に、プラグコネクタ６０の側壁が載るようになって、両コネクタ２０，６０に無理な力が及ぶことなく、嵌合させることができる。
【００３７】
したがって、両コネクタ２０，６０が小型のものであって位置合わせが困難な場合でも、長手方向及び短手方向の両方の位置合わせを容易に行うことができる。
【００３８】
つぎに、両コネクタ２０，６０のリブ４０と逃がし穴８０とが合わないような方向性を間違えた逆嵌合時の状態を図９により説明する。
【００３９】
この逆嵌合時であっても、リセプタクルコネクタ２０のリブ４０はプラグコネクタ６０の環状凹部７１に入り、リセプタクルコネクタ２０のガイド溝４５がプラグコネクタ６０の嵌合凸部（中央壁）７２に案内される状態になるため、図８（ｂ）で示されるのと同じように、リセプタクルコネクタ２０をプラグコネクタ６０の長手方向に滑らせることができる。
【００４０】
ただし、リセプタクルコネクタ２０のリブ４０がプラグコネクタ６０の端に来ると、プラグコネクタ６０の受け面８５に乗り上げて止まる。この状態で、リセプタクルコネクタ２０をプラグコネクタ６０に向けて押し込むと、リブ４０の先端が受け面８５に乗り上げた所を支点として、リセプタクルコネクタ２０が短手方向に傾くという、図９の状態になる。すると、作業者は、嵌合できずに、傾くことから、逆嵌合であることに気付く。
【００４１】
このように、リセプタクルコネクタ２０をプラグコネクタ６０に対して、逆嵌合状態に向かい合わせたとしても、嵌合させることができず、正常時とは異なる動きにより、逆嵌合に直ちに気づき、正しい向きに直すことができる。
【００４２】
図１０を参照して本発明の電気コネクタの第１参考例を説明する。図１の第１実施形態では、環状凸部３１の四隅のうち、一方の長手方向側壁３７の両端に位置する２隅（両側の短手方向側壁３８の４つの端うち、一方の長手方向側壁３７に接する２つの端）に、リブ４０が突設されている。第１参考例では、さらに、環状凸部３１の四隅のうち、他方の長手方向側壁３７の両端に位置する２隅（両側の短手方向側壁３８の４つの端うち、他方の長手方向側壁３７に接する２つの端）に、リブ４１が突設されている。そして、リブ４１の長さは、リブ４０の長さより短くなっている。すなわち、ハウジング３０に設けられた四隅のリブ４０，４１は、長手方向の中心線に対して非対称となるようにその長さが異なるように設けられている。また、このリブ４１は、後述する逃がし穴に嵌入し易いように、裁頭４角錘形状の先細りテーパ状に形成されている。また、リブ４１の強度ある大きさを確保する為に、長手方向側壁３７の側に厚みを増やして形成されている。
なお、リブ４０に対して中心線を挟んでリブ４１が設けられることにより、ガイド溝４５の見掛け上の深さが深くなっている。また、ガイド部としてのガイド溝４０は、深さｈ１があることが好ましいが、ｈ１＝０であってもよい。
【００４３】
なお、第１実施形態と同様に、図３において、ハウジング７０の環状凹部７１の環状凹部７１の四隅のうち、一方の長手方向側壁７５の両端に位置する２隅（両側の短手方向側壁７６の４つの端うち、一方の長手方向側壁７５に接する２つの端）に、リブ４０に対応する逃がし穴８０が設けられている。しかし、第２実施形態では、逃がし穴８０が設けられ二つの隅に対向する二つの隅には、第１実施形態の受け面８５に代わり、リブ４１に対応する逃がし穴８１が形成されている。
【００４４】
この第１参考例では、まず、リセプタクルコネクタ２０の環状凸部３１の一方の長手方向側壁３７の両端側に突出するリブ４０，４１の長さの異なる形状によって、リセプタクルコネクタ２０は、長手方向の中心線に対して非対称形状となっている（図１０参照）。そのため、視覚的にも、リセプタクルコネクタ２０の方向性の判断が一層し易くなる。
【００４５】
また、リブ４０，４１が、プラグコネクタの環状凹部の両側の溝に入ることになり、プラグコネクタの嵌合凸部（中央壁）に対するガイド溝４６の案内が一層確実になる。そのため、リセプタクルコネクタ２０をプラグコネクタに対して長手方向に向かって斜めに押すと、リセプタクルコネクタ２０のガイド溝４５がプラグコネクタ６０の嵌合凸部（中央壁）７２に沿って、長手方向奥側に向かってスムーズに移動をする。
【００４６】
また、逆嵌合時には、リセプタクルコネクタ２０のリブ４０，４１に対応するプラグコネクタの逃がし穴の深さが合わず、リセプタクルコネクタ２０はプラグコネクタに対して途中で嵌合が止まる半嵌合状態となるため、半嵌合であることが判る。
【００４７】
この発明は、以上の実施形態の内容に限定されるものではなく、請求項記載の発明の範囲内において、種々の変更が可能である。
【００４８】
まず、リセプタクルコネクタが一つの側壁を有するものあり、プラグコネクタがこの側壁が挿入される一つの溝を形成する場合である第２参考例を説明する。
この場合、第１のコネクタが、前記第1のコンタクトが少なくとも一列で配設される側壁を有する第１のハウジングを備える。この側壁が嵌合凸部となる。第２のコネクタが、前記側壁が挿入される溝を形成する、一対の壁を有し、前記壁の少なくと一方の長手方向に前記第2コンタクトが列状で配列される第2のハウジングを備える。一対の壁の長手方向の端にも端壁が設けられ、これら壁に囲まれた溝は、嵌合凹部となる。前記第1ハウジングの側壁の長手方向両端に、前記第2ハウジングの溝に入るリブを突設させると共に、前記リブの短手方向の横に、前記壁に当たるガイド部が設けられる。前記第2ハウジングの溝の長手方向両端に、前記リブが嵌まる逃がし穴が設けられる。前記第２ハウジングの両端には、前記ガイド部が嵌まる嵌合部が形成されている。
このような構成の電気コネクタにおいて、第１のハウジングのリブを第２のハウジングの溝に入れ、第１のハウジングのガイド部を第２のハウジングの壁に当てると、両ハウジングの短手方向の位置決めができる。この状態で、第１のハウジングを第２のハウジングに向かって斜めに押し当てるようにして長手方向に移動させる。すると、第１のハウジングのリブが第２のハウジングの逃がし穴に嵌まる位置になって止まり、第１のハウジングと第２のハウジングとの長手方向の位置決めがなされる。更に押し込むと、第１のハウジングの嵌合凸部と第２のハウジングの嵌合凹部との嵌合による正規嵌合となる。
【００４９】
また、第１実施形態において、基板１２，１４が直交する方向に配設されるものであったが、両基板が平行に配設される場合でも本発明を適用できる。
この場合、プラグコネクタの基板に対するベースを嵌合凸部の反対側に設け、コンタクトをリセプタクルコネクタと同様に中心線に対して対称に配設するものに変更すればよい。
【図面の簡単な説明】
【００５０】
【図１】本発明の第１実施形態の電気コネクタのリセプタクルコネクタを示す、（ａ）は平面図、（ｂ）は正面図、（ｃ）は側面図である。
【図２】図１に示すプラグコネクタのＸ−Ｘ断面図である。
【図３】本発明の第１実施形態の電気コネクタのプラグコネクタを示す、（ａ）は平面図、（ｂ）は正面図、（ｃ）は側面図である。
【図４】図３に示すプラグコネクタのＸ−Ｘ断面図である。
【図５】図３に示すプラグコネクタのＹ−Ｙ断面図である。
【図６】図３に示すプラグコネクタのＺ−Ｚ断面図である。
【図７】図１のリセプタクルコネクタと図３のプラグコネクタが嵌合した状態を示す断面図である。
【図８】図１のリセプタクルコネクタと図３のプラグコネクタとを嵌合させる手順を示す図である。
【図９】図１のリセプタクルコネクタと図３のプラグコネクタとを逆嵌合させたときの嵌合状態を示すための側面図である。
【図１０】本発明の第１参考例の電気コネクタのリセプタクルコネクタを示す、（ａ）は平面図、（ｂ）は正面図、（ｃ）は側面図である。
【符号の説明】
【００５１】
１０ 電気コネクタ
１２ 基板（第１の基板）
１４ 基板（第２の基板）
２０ リセプタクルコネクタ（第１のコネクタ）
３０ ハウジング（第１のハウジング）
３１ 環状凸部
３２ 嵌合凹部
３３ ベース
３７ 長手方向側壁
３８ 短手方向側壁
４０ リブ
４５ ガイド溝（ガイド部）
５０ コンタクト（第１のコンタクト）
６０ プラグコネクタ（第２のコネクタ）
７０ ハウジング（第２のハウジング）
７１ 環状凹部
７２ 嵌合凸部（中央壁）
７５ 長手方向側壁
７６ 短手方向側壁
８０ 逃がし穴
８５ 受け面
９０ コンタクト（第２のコンタクト）
【図１】
0004723308.tif 000002
【図２】
0004723308.tif 000003
【図３】
0004723308.tif 000004
【図４】
0004723308.tif 000005
【図５】
0004723308.tif 000006
【図６】
0004723308.tif 000007
【図７】
0004723308.tif 000008
【図８】
0004723308.tif 000009
【図９】
0004723308.tif 000010
【図１０】
0004723308.tif 000011